(57)【要約】【課題】  喫煙する際に、タバコの煙が拡散しないように周囲を取囲む密閉型ブースの提供。【解決手段】  ガラスパネル３を主体とした側壁部２ａ，２ｂ，２ｃにてブースを構成し、側壁部２ｂには出入口となる引戸４を装着し、また側壁部２ｂの下側には外部の空気を取入れる為にガラリ５，５を取付けると共に天井又は側壁部の上端部には換気扇６を設けている。そしてブース内には分煙機７を設置し、上記ガラリ５，５からの空気の流入速度を０．２ｍ／Ｓ以上で、ブース内の時間平均浮遊粉塵濃度を０．１５ｍｇ／ｍ3以下に保ち、一酸化炭素濃度を１０ｐｐｍ以下とすることが出来る。【選択図】    図１
2005155224.tif 000002
【特許請求の範囲】
【請求項１】
喫煙する際に、タバコの煙が拡散しないように周囲を取囲む密閉型ブースにおいて、ガラスパネルを主体とした側壁部にてブースを構成し、側壁部には出入口となる引戸を装着し、また側壁部の下側には外部の空気を取入れる為にガラリを取付けると共に天井又は側壁部の上端部には換気扇を設け、そしてブース内には分煙機を設置し、上記ガラリからの空気の流入速度を０．２ｍ／Ｓ以上で、ブース内の時間平均浮遊粉塵濃度を０．１５ｍｇ／ｍ3以下に保ち、一酸化炭素濃度を１０ｐｐｍ以下としたことを特徴とする分煙ブース。
【請求項２】
上記ガラリを引戸が装着される同一側壁部に取付けた請求項１記載の分煙ブース。
【請求項３】
側壁部の一部に設けた金属製パネル面及び桟表面には汚染防止塗料層を形成した請求項１、又は請求項２記載の分煙ブース。
【発明の詳細な説明】
【技術分野】
【０００１】
本発明はタバコの煙が周囲に流れないようにする為に、周りを取り囲んで構成した分煙ブースに関するものである。
【背景技術】
【０００２】
近年、電車や飛行機は言うまでもなく、オフィスや駅の構内においても喫煙する場所が限定されている。しかし、オフィス等で喫煙する場所を限っても、タバコの煙は周囲へ広がってしまい、付近を通過する人には多少を問わず迷惑をかけ、嫌な思いをさせることになっている。そこで、近年では喫煙ブースと称するものが一部で使用されている。
【０００３】
特開２０００−２１８１１５号に係る「分煙ブース」は、汚染空気の外部への漏れを防止すると共に、汚染空気を清浄空気へと浄化することが出来るものであり、箱形の壁部と外壁部の上部に設けられる天板部とを有し、壁部は所定の高さに形成された前面板の開口部に設けられる第１の吸気口から汚染空気を吸引し、該汚染空気を浄化して、該前面板の下部に設けられる第１の排気口から清浄空気を排気する集塵装置と、
該集塵装置とは独立して設けられ、該前面板の開口部に設けられる第２の吸気口から汚染空気を吸引し、該汚染空気を上面に設けられる第２の排気口から排気する送風装置とを備え、
前記天板部は、第２の排気口から排気される汚染空気が下面に沿って流れるように、壁部の背面板の上端から前方へ突出して設けられると共に、先端には下方に垂れ下がる形状の気流制御部が沿設されている。
【０００４】
特開２００３−７４１９９号に係る「分煙ブース」は、身体的にも精神的にもリラックスできる分煙ブースであり、喫煙空間と非喫煙空間との境界面に設けられる分煙手段と、前記喫煙空間内の空気を清浄化する空気清浄機とを備えた分煙ブースであり、分煙手段として光合成植物を使用している。
【０００５】
しかし、これら従来の分煙ブースでは、周囲と完全に仕切られた空間ではない為に、タバコの煙が周囲に多少を問わず拡散してしまう。すなわち、これら分煙ブースは喫煙する為のスペースを所定の場所に設置したに過ぎず、密閉された空間を構成するものではない。
【特許文献１】特開２０００−２１８１１５号に係る「分煙ブース」
【特許文献２】特開２００３−７４１９９号に係る「分煙ブース」
【発明の開示】
【発明が解決しようとする課題】
【０００６】
このように、従来の分煙ブースには上記のごとき問題がある。本発明が解決しようとする課題はこれら問題点であり、タバコの煙が周囲へ拡散しないように完全に密閉状態を構成する分煙ブースを提供する。
【課題を解決するための手段】
【０００７】
本発明に係る分煙ブースは間仕切りパネルにて仕切られた密閉空間を構成し、側壁はガラスパネルが用いられている。そして天井又は側壁パネルの上端部には換気扇が取付けられ、側壁パネルの下端部には空気の吸入口となるガラリを設けている。ブース内には分煙機が設置され、タバコの煙は該分煙機に吸い込まれてブース内に充満しないようになる。
【０００８】
ブース内には上記換気扇を操作する為のスイッチが備わっている。そして、ブースの出入口には引戸が装着され、該引戸は半自動で開閉することが出来る。さらに、側壁面の大半はガラスパネルであるが、金属面は汚染防止用の特殊塗料が塗布されている。
【発明の効果】
【０００９】
本発明の分煙ブースは外部と完全密閉した空間を構成している為に、タバコの煙がブース外へ拡散することはなく、周囲の人の迷惑にならない。そして、分煙ブース内には分煙機が設置されていて、煙はブース内に充満することなく分煙機に吸い込まれる。分煙機に吸い込まれない煙は換気扇に吸い込まれる為に、ブース内にいても他人の煙を吸い込むことは少ない。
【００１０】
そして、側壁パネルの下端部にはガラリが取付けられているために、外部の空気をブース内に取入れることが出来る。また、出入口には半自動式引戸が装着されているために、手で押し開いてブース内に入ると共に自動的に閉じることが出来、開いた状態とはならず、さらに引戸であることから開閉操作に際して空気を乱すことはなく、ブース内の煙が空気と共に外へ流れ出ることもない。一方、側面パネルの金属面は汚染防止塗料が塗布されている為に、タバコの煙が付着した汚れた簡単に拭き取ることが出来る。
【実施例】
【００１１】
図１は本発明に係る分煙ブースを示す実施例である。該分煙ブースは部屋の壁面１に面して設置され、３面の側壁部２ａ，２ｂ，２ｃはガラスパネル３，３・・にて構成している。また、側壁部２ｂには引戸４が装着され、同じ側壁部２ｂのガラスパネル３，３の下端部にはガラリ５，５が取付けられている。側壁部２ａ，２ｂ，２ｃは部屋天井まで延び、天井には換気扇６が取付けられている。
【００１２】
側壁部２ａ，２ｂ，２ｃがガラスパネル３，３・・にて構成されている為に、内部の様子は外から分かり、喫煙するブースであることが一目で分かる。ブース内中央には分煙機７が設置され、タバコの煙は該分煙機７に吸い込まれてブース内に充満しないようになる。そして、分煙機７に吸い込まれなかった煙は換気扇６によって吸い込まれる。側壁部２ｂの下端部には上記ガラリ５，５が設けられているために、ガラリ５，５を通過して入った空気は換気扇６に吸い込まれる為に、ブース内では空気の流れが発生して、タバコの煙が充満することはない。
【００１３】
本発明の分煙ブースの出入口には上記引戸４が装着されている。該引戸４の上端には吊車が取着され、出入口の天井に設けている上レールに吊設されて開閉することが出来る。引戸４は半自動開閉式であって、開閉操作時に空気を乱すことなく、ブース内の空気が外へ流れることがないようにしている。すなわち、天井に取付けている換気扇６は引戸４を開いた場合には外からブース内への空気の流れを作っている。また、引戸４が閉鎖している場合には、ガラリ５，５から空気が流入するようになり、何れの場合においても、空気はブース内から外へ流れ出ない。
【００１４】
ブース中央に設置した分煙機は、タバコの煙を吸い込むことが出来るが、上記換気扇６が作動しない場合にはタバコの煙に混じっている一酸化炭素濃度を低下することが出来ない。すなわち、タバコの煙に混ざっている粉塵は分煙機にて吸い込まれるが、一酸化炭素はブース内に充満することがテスト結果から明らかと成っている。逆に、分煙機を設置しないで換気扇だけの場合、一酸化炭素濃度を抑えることは出来るが、タバコの粉塵を除去することが出来ない。
【００１５】
そこで、本発明の分煙ブースには分煙機と換気扇の両方を備え、しかも出入口には開閉ドアでなく引戸を装着している。従って、該分煙ブースでは
(１)外部の非喫煙場所から喫煙場所であるブースへ向かって０．２ｍ／Ｓ以上の空気の流れをもたらすことが出来る。
(２)ブース内で、時間平均浮遊粉塵濃度が０．１５ｍｇ／ｍ3以下に保つことが出来る。
(３)ブース内では、一酸化炭素濃度が１０ｐｐｍ以下に保たれる。
【００１６】
一方、図１に示す分煙ブースの側壁部２ａ，２ｂ，２ｃの大半はガラス面となっている為に、外から喫煙場所であることが一目で分かるが、一部には金属製パネル８，８・・が設けられ、また金属製の桟９，９・・を備えている。これら金属製パネル８，８・・及び金属製桟９，９・・には汚染防止塗料が塗布され、タバコのヤニの染込みを防止し、付着したヤニを簡単に拭き取ることが出来る。
【００１７】
図２は汚染防止塗料が金属製パネル８の表面に塗布されて汚染防止塗料層１０を形成している場合の断面拡大図である。撥水・撥油機能を保持する黒塗りで示した無機成分を表面に配列した構造であり、塗装表面ほど無機成分の比率が高く、そのために表面高度が高くて汚れの除去に優れた構造と成っている。逆に、塗装内部は柔軟性に優れた有機成分が主体となり、金属面への密着性に優れている。
【図面の簡単な説明】
【００１８】
【図１】本発明に係る分煙ブースの具体例。
【図２】金属パネル面に塗装した汚染防止塗料層。
【符号の説明】
【００１９】
１  壁面
２  側壁部
３  ガラスパネル
４  引戸
５  ガラリ
６  換気扇
７  分煙機
８  金属製パネル
９  桟
10  汚染防止塗料層
【図１】
2005155224.tif 000003
【図２】
2005155224.tif 000004